(57)【特許請求の範囲】
【請求項１】
前後半割り型の前後ケース１ａ・１ｂを一体的に突き合わせることにより、前後方向に吹き抜け状に貫通した上下縦長状の透孔部６を介して相対向する左右一対の縦長筒部４・５と、該縦長筒部４・５の下端部どうしを連通した横筒部７とを有するように正面視において略Ｕ状に形成された本体ケース１と、
左右の縦長筒部４・５内にそれぞれ配させる左右の側部シャーシ１４ａ・１４ｂと、横筒部７内に配される下部シャーシ１４ｃとを有して、全体が正面視において略Ｕ字状に形成されたシャーシ１４と、
左右の側部シャーシ１４ａ・１４ｂの上端に設けられて、前記縦長筒部４・５の上端開口部から上方へ突出する左右一対の対向支持壁１６・１７と、前記対向支持壁１６・１７間に横軸１９まわり回転自在に支持されたロータリ内刃９と、該ロータリ内刃９を覆う外刃１０とを備えており、
前記縦長筒部４・５のうちの一方に、モータ１１と該モータ１１の回転を前記ロータリ内刃９に伝達する駆動伝達機構１２とを収容してなることを特徴とするロータリ式電気かみそり。
【請求項２】
前記対向支持壁１６・１７、外刃１０、ロータリ内刃９、モータ１１および駆動伝達機構１２をシャーシ１４上に一体的に組み合わせて浮動ユニット８を構成するとともに、該浮動ユニット８を本体ケース１内に対して上下動自在に支持しており、
該浮動ユニット８の一部には、縦長筒部４・５間に形成される前記透孔部６に沿って上下移動するスライド部１８が設けられていることを特徴とする請求項１記載のロータリ式電気かみそり。
【発明の詳細な説明】
【０００１】
【発明の属する技術分野】
本発明はロータリ式電気かみそりに係り、より詳しくはロータリ式電気かみそりの握り部の改良に関する。
【０００２】
【従来の技術】
ロータリ式電気かみそりにおいて、ロータリ内刃および外刃を上部に備える本体ケースは、モータ、該モータの回転をロータリ内刃に伝達する駆動伝達機構、電池および配線基板などを収容するとともに、握り部として使用されるが、いずれの本体ケースも断面形状が多角形、円形あるいは楕円形などの単一筒形状に形成されている。そして、本体ケースの握り部の表面に凹凸を付けたり、滑り止め板を貼り付ける等して取り落とし防止対策が講じられている。また、この種ロータリ式電気かみそりは、モータの回転を往復振動に変換する振動子によりかまぼこ型の内刃を高速で往復動させる、いわゆる往復動式の電気かみそりと比較して、構造上低振動、低騒音である点で優れている。
【０００３】
【発明が解決しようとする課題】
しかし、単一筒形状に形成される本体ケースの握り部ではこれの全周が手で把持されるのであるが、とくに太くて大型で、重量大であったり、また剃刃ユニットが顎の下や顔の凹凸に沿うべく前後に動くよう手加減しながら使用するときに本体ケースを握りにくく、また握り方のバリエーションを選ぶことができず、特に手の小さい人等にとっては握りにくい場合がある。また、筒形状の本体ケースの内部空間に収容配置されているモータおよび駆動伝達手段等から発生する騒音は、本体ケースの内部空間がいわゆる共鳴空間となって騒音を増長してしまい、このため騒音を低減するにも限界があった。更に又、ロータリ式電気かみそりにあっては、肌に外刃を押し当てた際、外刃の内面とロータリ内刃の刃先との密着性、馴染み性を良好にするために、ロータリ内刃、これを駆動するモータおよび駆動伝達手段等を一体的に組み合わせ、これを本体ケースに対して上下移動自在に支持する構造が考えられるが、いずれの方向からの肌の押し当てにもかかわらず、外刃およびロータリ内刃が本体ケースに対してこじれることなく、スムーズに上下移動するように構成する必要がある。
【０００４】
本発明の目的は、このような問題を解消するためになされたもので、本体ケースの握り部に形状的改変を加えることにより、より確実に把持できる握り方を可能にし、さらに使用者の手の大きさや好みに合った握り方をとることのできる便利なロータリ式電気かみそりを提供するにある。また、本発明の目的は騒音発生を減少できるロータリ式電気かみそりを提供するにある。更に又、本発明の目的は肌への押し当てによっても常に外刃とロータリ内刃の密着性を良好に維持できて切れ味を向上できるロータリ式電気かみそりを提供するにある。
【０００５】
【課題を解決するための手段】
本発明は、図示例のように前後方向に貫通した上下縦長状の複数本の握り指が挿通可能な透孔部６を介して相対向する左右一対の縦長筒部４・５と、該縦長筒部４・５の下端部どうしを連通した横筒部７とを有するように正面視において略Ｕ状に形成された本体ケース１と、前記縦長筒部４・５の上端から上方へ突出する左右一対の対向支持壁１６・１７と、前記対向支持壁１７・１７間に横軸１９まわり回転自在に支持されたロータリ内刃９と、該ロータリ内刃９を覆う外刃１０とを備えており、前記縦長筒部４・５のうちの一方に、モータ１１と該モータ１１の回転を前記ロータリ内刃９に伝達する駆動伝達機構１２とを収容してなることを特徴とする。
【０００６】
また、本発明は、上記した少なくとも対向支持壁１６・１７、ロータリ内刃９、モータ１１および駆動伝達機構１２を一体的に組み合わせて浮動ユニット８を構成するとともに、該浮動ユニット８を本体ケース１内に対して上下動自在に支持しており、該浮動ユニット８の一部には、縦長筒部４・５間に形成される上記透孔部６に沿って上下移動するスライド部１８が設けられていることを特徴とする。
【０００７】
【作用】
本体ケース１の左右の縦長筒部４・５の全周を把持する通常の握り方では、図３のように握り手の指端の腹面を透孔部６に沈み状態に引っ掛けることができて取り落としにくくなる。また透孔部６を指が挿通するよう幅に形成した場合は、例えば、図４のように本体ケース１の透孔部６より一側方の細径の縦長筒部５を強く握り締めることができる。また、握り手の１本もしくは数本の指のみを透孔部６内に引っ掛けることにより取り落としを防止できるなどバリエーションに富む握り方を提供できる。
【０００８】
左右の縦長筒部４・５のうち一方に、騒音発生源であるモータ１１および駆動伝達機構１２を収容することで、共鳴空間を小さくして本体ケース１内での騒音発生を低減できる。
【０００９】
少なくとも対向支持壁１６・１７、ロータリ内刃９、モータ１１および駆動伝達機構１２を一体的に組み合わせてなる浮動ユニット８は、スライド部１８を透孔部６に沿わせることにより上下方向に安定よくかつスムーズに移動させることができる。
【００１０】
【発明の実施の形態】
本発明の一実施例を図１ないし図５に基づき説明する。図１ないし図３において、１は本体ケース、２は剃刃ユニットで、本体ケース１の剃刃ユニット２より下方の握り部３は、正面視において略Ｕ字状に形成され、相対向する左右一対のプラスチック製の縦長筒部４・５と、縦長筒部４・５の対向面間に前後方向に貫通する吹き抜け状に形成されて上下縦長方向に複数本の指を挿通可能にする透孔部６と、縦長筒部４・５の下端部どうしを内部連通状態に連結した横筒部７とを有してなる。これら縦長筒部４・５および横筒部７を構成する上記本体ケース１は前後半割り型の前後ケース１ａ・１ｂを一体的に突き合わせてなる。左右の縦長筒部４・５の上端部どうし間に備えられる剃刃ユニット２はロータリ内刃９と網目状の外刃１０からなる。
【００１１】
左右の縦長筒部４・５のうちの一方に、モータ１１、およびモータ１１の回転を前記ロータリ内刃９に伝達する多段ギヤ等からなる駆動伝達機構１２を収納し、他方に充電式の電池１３を収納する。
本体ケース１の内部にはシャーシ１４が横筒部７の内底上に配置した押上げばね部材１５を介して上下動自在に組み込まれる。シャーシ１４は、左右の縦長筒部４・５内にそれぞれ配される左右の側部シャーシ１４ａ・１４ｂと、横筒部７内に配される下部シャーシ１４ｃとを有するよう全体が正面視において略Ｕ字形状に形成される。その左側部シャーシ１４ａ上に前記電池１３が、右側部シャーシ１４ｂ上に前記モータ１１および駆動伝達機構１２がそれぞれ搭載されている。下部シャーシ１４ｃと横筒部７の内底との間に前記押上げばね部材１５が介在される。
【００１２】
左右の側部シャーシ１４ａ・１４ｂの上端には、左右の縦長筒部４・５の上端開口部から突出する対向支持壁１６・１７が一体的に設けられ、この対向支持壁１６・１７に前記ロータリ内刃９が横軸１９まわりに回転自在に支持される。ロータリ内刃９の右側の横軸１９と前記モータ１１とが前記駆動伝達機構１２で伝動連結される。またシャーシ１４には回路基板２０を一体的に接合する。
【００１３】
これら対向支持壁１６・１７、外刃１０、ロータリ内刃９、モータ１１、駆動伝達機構１２、電池１３および回路基板２０はひとつのシャーシ１４上に搭載されることで一体的に組み合わされて浮動ユニット８を構成する。そして、この浮動ユニット８は本体ケース１内に対して上下動自在に支持するのであるが、その際、回路基板２０を縦長筒部４・５間の上記透孔部６に沿って切り欠き形成することにより該回路基板２０にスライド部１８を形成し、このスライド部１８を透孔部６に面する透孔形成壁４ａ・５ａの内面に沿って上下方向にスライド自在とする。
【００１４】
横筒部７の一側方には交流・充電兼用の給電ソケット２１または充電専用プラグが固定され、該給電ソケット２１と上記回路基板２０とは、浮動ユニット８の上下動に対応するよう可撓性および余裕長さを有するリード線２２で接続される。
【００１５】
左側の縦長筒部４または右側の縦長筒部５の透孔部６に面する部分には、モータ１１の起動・停止用の電源スイッチ２３を備える。その際、電源スイッチ２３は透孔部６内に配置することで、外部からの力を受けにくいため、例えば、図１のように電源スイッチ２３のスイッチノブ２３ａを細線材で本体ケース１から突出させても破損しにくい。こうした場合、スイッチノブ２３ａの先端に球部２３ｂを付けるとこの球部２３ｂが透孔部６内に浮かんでいるかのように使用者に見せることができ、意匠的価値を高めることができる。
【００１６】
上記構成において、ひげ剃り時には、本体ケース１の握り部３の全周を持つ通常の握り方か、または透孔部６に指を挿通する握り方のいずれかを選択することができる。通常の握り方の場合は、図４のように握り手の指端の腹面を透孔部６に沈み状態に引っ掛けることができて取り落としにくくなる。その際、図２に示すように、縦長筒部４・５の透孔部６の前方開口端６ａおよび後方開口端６ｂにアールを付けておくと、指端の腹面がのっかかり易くなり、より確りと把持することができる。
【００１７】
透孔部６に指を挿通する握り方の場合は、図５のように透孔部６に指を挿通して左側の縦長筒部４または右側の縦長筒部５を握るが、縦長筒部４または縦長筒部５は握り部３全体の径よりも細いため、握り易く、また強く握り締めることができる。その際、左右の縦長筒部４・５のうち一方に剃刃駆動用のモータ１１を、他方に電池１３をそれぞれ内蔵しておくと、透孔部６に指を挿通して何れ側かの縦長筒部４または５を把持するにしても重量バランスの均衡を保つことができて持ち易い。また、透孔部６の上部を上方拡がり状に形成して幅広部６ｃを設けておけば、この幅広部６ｃに挿通する指は左右方向に動かし易くなるため、その幅広部６ｃの内部に電源スイッチ２３などを配設しておけば、操作し易い。
【００１８】
ひげ剃り時に外刃１０を肌に押し付けると、この外刃１０およびロータリ内刃９が浮動ユニット８ごと下動し、押し付けを解除するに伴い押上げばね部材１５で上動する。その浮動ユニット８の上下動に際して、浮動ユニット８は対向支持壁１６・１７と縦長筒部４・５の上端開口部との間でガイドされるのみならず、スライド部１８が縦長筒部４・５の透孔部６に面する透孔形成壁４ａ・５ａの内面に沿って上下にガイドされる。このように浮動ユニット８の上下ガイドに透孔部６を利用することにより、浮動ユニット８に対し肌からの強い押し付け力が作用しても、浮動ユニット８は本体ケース１内でこじれたり、がたつくことなく、スムーズに上下動させることができる。因に、対向支持壁１６・１７と縦長筒部４・５の各上端開口部内との隙間は可撓性を有するゴム等の毛止め板で閉塞される。
【００１９】
電源スイッチ２３は透孔部６内の幅広部６ｃまたは幅広部６ｃ以外の箇所に配設しておけば、本体ケース１の握り部３の全周を持つ通常の握り方の場合、前述したように左右の縦長筒部２・３の外周を握る手の掌や指先が不用意に該電源スイッチ２３に触れるという誤操作を防止できる。左右の縦長筒部４・５の上部どうし間には剃刃ユニット２を備え、縦長筒部４・５の下部どうしは横筒部７で連結して剛体化することにより、縦長筒部４・５は強い握力にも耐えられるものにすることができる。なお、電源スイッチ２３のオン・オフ操作形態としては、図示例に示すノブのように上下、前後または左右に傾倒操作可能にするもの以外に、プッシュ式あるいはスライド式のものであってもよい。
【００２０】
上記実施例では透孔部６は指が入る程度の広幅に形成するが、これに代えて図６のように透孔部６は指が入らない細い幅に形成してもよく、この場合その透孔部６の縦方向中途部に、指端の腹面がのっかかり易いえぐり部２６を設ける。
【００２１】
本体ケース１の透孔部６の上端には、図１のようにプレート２４を一体的に横架し、図７のようにそのプレート２４を鏡や壁Ｗ等に吸盤２７等で固定したフック２８等に引っ掛けることができる。また、そのプレート２４は、例えば商品名などを刻印するネームプレート等にも利用することができる。
本体ケース１において、透孔部６は握り部３の左右方向中央より左側方または右側方に偏して設けて、横幅寸法の異なる左右の縦長筒部４・５を形成することもできる。
【００２２】
上記実施例では、浮動ユニット８が対向支持壁１６・１７、外刃１０、ロータリ内刃９、モータ１１、駆動伝達機構１２、電池１３および回路基板２０をひとつのシャーシ１４上に搭載させることで一体的に組み合わされてなるが、そのうち外刃１０は、浮動ユニット８とは別体にして、本体ケース１の上部に着脱可能に装着する外刃ホルダに対し浮動自在に備え、また電池１３や回路基板２０も浮動ユニット８とは別体にして本体ケース１の内部に定置固定することもできる。また上記実施例では、浮動ユニット８のスライド部１８は回路基板２０自体に設けてあるが、これに代えてシャーシ１４自体に設けることもできる。
【００２３】
【発明の効果】
本発明によれば、本体ケース１に上下縦長状の透孔部６を前後方向に貫通状に形成した。従って、握り手の指端の腹面を透孔部６に引っ掛けることができて取り落とすようなことなく、安全確実に握ることができる。また透孔部６に指を挿通する握り方をとる場合は、小さい手の人も本体ケース１の透孔部６より一側方の細径の縦長筒部４（又は５）を強く握り締めることができ、より一層確実に握ることができる。
【００２４】
透孔部６を介して相対向する左右の縦長筒部４・５のうちの一方に内刃駆動用のモータ１１および駆動伝達機構１２を収容しているので、共鳴空間を小さくして本体ケース１内での騒音発生の低減を図ることができる。
【００２５】
少なくとも対向支持壁１６・１７、ロータリ内刃９、モータ１１および駆動伝達機構１２を一体的に組み合わせてなる浮動ユニット８は、スライド部１８を透孔部６に沿わせて上下方向に安定よくかつスムーズに移動させることができる。従って、いずれの方向からの肌の押し当てにもかかわらず、外刃１０およびロータリ内刃９が本体ケース１に対してこじれることなく、スムーズに上下移動させることができ、常に外刃１０とロータリ内刃９の密着性を良好に維持できて切れ味を向上できる。
【００２６】
透孔部６は、出荷包装時や使用後の収納保管時などに、ローション入り容器や毛屑払いブラシなどを納める空間に利用でき、また壁などから突設したフックなどに通して吊り下げる場合にも利用できる。しかも透孔部６によってデザイン的にも斬新なものにすることができる。
【図面の簡単な説明】
【図１】ロータリ式電気かみそりの正面図である。
【図２】図１におけるＡ−Ａ線断面図である。
【図３】分解斜視図である。
【図４】ロータリ式電気かみそりの通常の握り方を示す正面図である。
【図５】ロータリ式電気かみそりの他の握り方を示す正面図である。
【図６】他の実施例を示すロータリ式電気かみそりの正面図である。
【図７】ロータリ式電気かみそりの壁等への引っ掛け状態を一部破断状態で示す側面図である。
【符号の説明】
１  本体ケース
２  剃刃ユニット
３  握り部
４・５  縦長筒部
６  透孔部
８  浮動ユニット
９  ロータリ内刃
１０  外刃
１１  モータ
１２  駆動伝達機構
１３  電池
１６・１７  対向支持壁
１８  スライド部
１９  横軸
【図１】
0003963283.tif 000002
【図２】
0003963283.tif 000003
【図３】
0003963283.tif 000004
【図４】
0003963283.tif 000005
【図５】
0003963283.tif 000006
【図６】
0003963283.tif 000007
【図７】
0003963283.tif 000008